(57)【要約】 【課題】飲料水の缶やペットボトルを自動販売機に1本づつ入れるのではなく、箱ごと、又は、数本を自動販売機への投入具図１に入れ、連続して投入すると時間の短縮と労力を軽減することのできる飲料水缶やペットボトルの自動販売機への投入具を提供する。  【解決手段】飲料水の缶やペットボトルの箱を投入具に入れ、飲料水の缶やペットボトルが転げ落ちて、缶止板と前面壁板で止まる。この缶止板を缶止板持ち上げ棒で缶止板を持ち上げると飲料水の缶やペットボトルを止めていた缶止板が上がるので飲料水の缶やペットボトルが転げ落ちるようにした自動販売機への投入具である。側板と側板の間の幅が伸縮できるので缶の高さの違うものまで使用できる。【選択図】図１
2010266917.tif 000002
【特許請求の範囲】
【請求項１】
Ｕ字形箱の短辺の前面缶通路に飲料水缶やペットボトルを止めたり、転げ落としたりする伸縮缶止板と伸縮前壁面板がある飲料水缶やペットボトルの自動販売機の飲料水缶やペットボトルの投入口への投入具。
【請求項２】
上記１の伸縮前壁面板は、左右の側板にＷ字形腕木が可動するように留め、伸縮缶止板の中央に可動するように留める。伸縮前壁面板の下方の中央に伸縮缶止板が上下に可動するように固定して、伸縮缶止板の筒の中を缶止板持ち上げ棒の通路として、缶止板持ち上げ棒の伸縮缶止板持ち上げレバーで上下に可動するようにした飲料水缶やペットボトルの自動販売機の飲料水缶やペットボトルの投入口への投入具。
【請求項３】
飲料水缶やペットボトルの高さにより、Ｕ字形の箱の投入具の側板の幅を調節するために側板と底板の中央支柱板に腕木を可動するようにつける。この底板に固定したネジが中央支柱板の可動溝を前後に可動する。左右の腕木が中央支柱板に可動するようにつけ、中央支柱板の長さを調節すると飲料水缶やペットボトルの投入具の側板の幅と伸縮缶止板持ち上げ棒と缶止め伸縮前壁面板の幅が調節できる自動販売機の飲料水缶やペットボトル投入口への投入具。
【請求項４】
自動販売機に入れる飲料水缶やペットボトルの高さの違うものが投入できるようにＵ字形の箱の側板を最大及び最小に調節できるように左側板と右側板についている底板の通路を上の段と下の段に分けて左側板の底板や右側板の底板が別々の通路を通るようにした飲料水缶やペットボトルの自動販売機の飲料水缶やペットボトル投入口への投入具。  
【請求項５】
飲料水缶やペットボトルのＵ字形の箱の投入具に数本の飲料水缶やペットボトルを投入する場合にＵ字形の箱の両側板の後方に側板に開閉できる缶仕切板のある飲料水缶やペットボトルの自動販売機の飲料水缶やペットボトル投入口への投入具。
【請求項６】
Ｕ字形の箱の飲料水缶やペットボトルの投入具の底部を被覆する伸縮底板のある飲料水缶やペットボトルの自動販売機の飲料水缶やペットボトル投入口への投入具。
【発明の詳細な説明】
【技術分野】
【０００１】
この本発明は、自動販売機の飲料水缶やペットボトル投入口に飲料水缶やペットボトルを入れる投入具に関するものである。
【背景技術】
【０００２】
従来は、飲料水缶やペットボトルを手で一本づつ自動販売機の飲料水缶やペットボトル投入口に入れるだけである。
【先行技術文献】
【特許文献】
【０００３】
【特許文献１】特開２００２−３１２８３９
【特許文献２】特開２００３−２５２３８８
【特許文献３】特開２００３−２２８７５３
【特許文献４】特開２００５−３３８９１０
【特許文献５】特開平４−１１５３９２
【特許文献６】特開平６−２７４７５０
【特許文献７】特開平１１−１１４７１
【発明の概要】
【発明が解決しようとする課題】
【０００４】
従来は、飲料水缶やペットボトルを手で1本、1本自動販売機の飲料水缶やペットボトル投入口に入れている。
これには次のような欠点があった。
飲料水缶やペットボトルを手で1本づつ自動販売機の飲料水缶やペットボトル投入口に入れるので、時間がかかる。
飲料水缶やペットボトルを手で1本づつ持ち上げて自動販売機の飲料水缶やペットボトル  
投入口に入れるので労力がかかる。
本発明は、以上の欠点を解決するためになされたものである。
【課題を解決するための手段】
【０００５】
上記の問題点を解決するために，本発明は、自動販売機の飲料水缶やペットボトル投入口に飲料水缶やペットボトルを手で1本づつ入れるのではなく、箱ごと、又は、数本の飲料水缶やペットボトルを自動販売機の飲料水缶やペットボトル投入口に投入するのである。飲料水缶やペットボトルをＵ字形の箱の投入具に入れる。Ｕ字形の箱の投入具の前壁面板と缶やペットボトルの通路に飲料水缶やペットボトルを止める伸縮缶止板が必要である。このＵ字形の箱の投入具の後方を持ち上げて傾斜をつけて飲料水缶止めの伸縮缶止板を持ち上げると缶やペットボトルが転げ落ちるようにする。
【０００６】
自動販売機に入れる飲料水缶やペットボトルの高さの違いにより
飲料水缶やペットボトルを入れるＵ字形の箱の投入具の側板の幅を調節するために、側板と底板の中央支柱板に腕木を取り付ける。この腕木を底板の中央の支柱板にボールチェーンを取り付け、そのボールチェーンの長さを調節して、側板の握り取っ手を外側に引くと広がり、内側に押して側板の幅を狭くして調節する。この中央の支柱板を調節するために支柱板の端のボールチェーンを拡大腕木調整板に引きかける。
【０００７】
飲料水缶やペットボトルのＵ字形投入具の側板の幅を調節すると前壁面の幅も変動する。このため前壁面板にＷ字形の腕木をつけて伸縮できるようにする。前壁面板に、Ｗ字形の腕木の中央の一点を可動固定ねじで留めて常に中央に位置するようになる。
【０００８】
数本の飲料水缶やペットボトルを投入するときは、飲料水缶やペットボトルがＵ字形投入具の後方より飲料水缶やペットボトルが転げ落ちないように側板に取り付けてある仕切板を開くようにする。側板と仕切り板が直角になるように左右に仕切板止をつける。飲料水缶やペットボトルの高さにより側板が変動しても、飲料水缶やペットボトルの先端部と下端部を左仕切板と右仕切板で支えているので転げ落ちることはないようにすることを目的とする。
【発明の効果】
【０００９】
飲料水缶やペットボトルを手で1本づつ入れるのではなく、箱ごと、又は、数本の飲料水缶やペットボトルを飲料水の缶やペットボトル投入具に入れ、自動販売機の飲料水缶やペットボトルの投入口に乗せ掛け飲料水缶やペットボトルの投入具の後方を持ち上げると、飲料水缶やペットボトルが前壁面板と伸縮缶止板で止まる。このＵ形投入具の伸縮缶止板を持ち上げると缶やペットボトルが転げ落ちて、自動販売機に投入されるので時間がかからない。また、短時間で投入が終わるので労力がかからない。
【００１０】
飲料水缶の投入具の側板の幅を変動させることができるので大きさの違う飲料水缶やペットボトルを自動販売機の飲料水缶やペットボトルの投入口へ投入することができる。
【００１１】
飲料水缶やペットボトルを数本入れる場合は、Ｕ形投入具の後方から飲料水缶やペットボトルが転げ落ちないように側板の仕切板を開くことができる。この投入具により飲料水缶が自動販売機に投入されるので時間がかからない。また、短時間で投入が終わるので労力がかからない。
【図面の簡単な説明】
【００１２】
【図１】本発明の斜視図である。
【図２】本発明の前壁面板の斜視図である。
【図３】本発明の底面の斜視図である。
【図４】本発明の底面の拡大腕木の正面図である。
【図５】本発明の支持板拡大腕木調整板の正面図である。
【図６】本発明の底板の側面図である。
【図７】本発明の底板の斜視図である。
【図８】本発明の右側面板と底板の斜視図である。
【図９】本発明の左側面板と底板の斜視図である。
【図１０】本発明の右仕切板の斜視図である。
【図１１】本発明の左仕切板の斜視図である。
【図１２】本発明の被覆底板の斜視図である。
【図１３】本発明の被覆底板の斜視図である。
【図１４】本発明の被覆底板と右側板の斜視図である。
【図１５】本発明の被覆底板と左側板の斜視図である。
【発明を実施するための形態】
【００１３】
本発明は、図１Ｕ字形の箱の短辺の前面に缶を止める伸縮の前壁面板３があり、その下に飲料水缶を止める伸縮缶止板４がある。このＵ字形の空間に飲料水の缶の箱を入れる部分である。飲料水の缶は前面の缶止めの前壁面板３と缶を止める伸縮缶止板４で止まる。この投入具の自動販売機の飲料水缶やペットボトルの投入口に乗せ掛板１を自動販売機の投入口に引っ掛けて留める。この飲料水缶やペットボトルの伸縮缶止板４を缶止板持ち上げレバー５を持ち上げ、伸縮缶止板４を上げると飲料水の缶やペットボトルが転げ落ちて、自動販売機の飲料水缶やペットボトルの投入口に投入される。
【００１４】
自動販売機に数本の飲料水缶やペットボトルを投入する場合は、飲料水缶やペットボトを投入する投入具図１のＵ字形の側板１０．１１の最後尾に図１０の右側板１１と左側板１０に仕切板７１，７５を取り付けておいて、この仕切板７１，７５を開くと長方形の箱になり、飲料水缶やペットボトルが後方に転げ落ちない。この飲料水缶やペットボトルの伸縮缶止板４を缶止板持ち上げレバー５を持ち上げ、伸縮缶止板４を上げると飲料水の缶やペットボトルが転げ落ちて、自動販売機の飲料水缶やペットボトルの投入口に投入される。
【００１５】
飲料水缶やペットボトルの高さが違う場合は、自動販売機への投入具の側板１０、１１の幅を調節する。図３の側板１０,１１に腕木３８,３９,４０,４１,４２,４３をつけて、この腕木３８,３９,４０,４１,４２,４３を中央の図４の側板腕木中央支柱板５１が動くようにして、側板腕木中央支柱板５１の片方にボールチェーン５２をつける。このボールチェーン５２を図５の支柱板拡大腕木調整板１４に固定して、両側板１０,１１の握り取っ手１３，３１を外側に引きくと側板１０,１１を広げることができる。また、側板１０,１１を縮める場合は、両側板１０,１１の握り取っ手１３，３１を内側に押すと側板１０,１１を縮めることができる。飲料水缶やペットボトルの高さに応じて側板１０,１１の幅を調整する。
【００１６】
飲料水缶やペットボトルの高さの違うものを投入できるように側板１０,１１を最大から最小にして、また、最小から最大に調節できるように図９の左側板１０と図８の右側板１１についている底板６４,６５,６６,６７,６８,６９の図６の通路を上の段５８,６０,６２と下の段５９,６１，６３に分け、図９の左側板の底板６７,６８,６
９や図８右側板の底板６４,６５,６６が別々の通路を通るようにすると側板の幅を最小側板の幅の倍以上に大きく拡大することができる。
【００１７】
この飲料水缶やペットボトルの投入具の底部を被覆するために図１１の被覆底板をつける。この底板は伸縮するように拡大腕木７８，８１，８４，８６をつける。
【実施例】
【００１８】
図１Ｕ字形の箱の短辺の前面の伸縮前壁面板３の下に飲料水缶を止める伸縮缶止板４があり、このＵ字形の空間に飲料水の缶入りの箱やペットボトル入りの箱の上部半分を開けてある箱開口部を下にして入れ、図１の投入具の後方を持ち上げると飲料水の缶やペットボトルが転げ落ち、飲料水缶やペットボトルは、前面の缶止めの前壁面板３と缶を止める伸縮缶止板４で止まる。この飲料水缶やペットボトルの投入具の自動販売機の飲料水缶やペットボトルの投入口に乗せ掛け板１を自動販売機の投入口に引っ掛けて留める。この飲料水缶やペットボトルの伸縮缶止板４を缶止板持ち上げレバー５を持ち上げ、伸縮缶止板４を上げると飲料水の缶やペットボトルが転げ落ちて、自動販売機の飲料水缶やペットボトルの投入口に投入される。
【００１９】
自動販売機に数本の飲料水缶やペットボトルを投入する場合は、飲料水缶やペットボトを投入する投入具図１のＵ字形の側板１０．１１の最後尾に図１０の右側板１１と左側板１０に缶仕切板７１，７５を取り付けておいて、この缶仕切板７１，７５を開くと長方形の箱になり、飲料水缶やペットボトルが後方に転げ落ちない。この飲料水缶やペットボトルの伸縮缶止板４を缶止板持ち上げレバー５で持ち上げ、伸縮缶止板４を上げると飲料水の缶やペットボトルが転げ落ちて、自動販売機の飲料水缶やペットボトルの投入口に投入される。
【００２０】
飲料水缶やペットボトルの高さが違う場合は、自動販売機への投入具の側板１０、１１の幅を調節する。図３の側板１０,１１に腕木３８,３９,４０,４１,４２,４３をつけて、この腕木３８,３９,４０,４１,４２,４３を中央の図４の側板腕木中央支柱板５１が動くようにして、側板腕木中央支柱板５１の片方にボールチェーン５２をつける。このボールチェーン５２を図５の支柱板拡大腕木調整板１４に固定して、両側板１０,１１の握り取っ手１３，３１を外側に引きくと側板１０,１１を広げることができる。また、側板１０,１１を縮める場合は、両側板１０,１１の握り取っ手１３，３１を内側に押すと側板１０,１１を縮めることができる。飲料水缶やペットボトルの高さに応じて側板１０,１１の幅を調整する。これで、飲料水缶やペットボトを自動販売機の飲料水缶やペットボトルの投入口に投入することができる。
【００２１】
飲料水缶やペットボトルの高さの違うものを投入できるように側板１０,１１を最大から最小にして、また、最小から最大に調節できるように図９の左側板１０と図８の右側板１１についている底板６４,６５,６６,６７,６８,６９の図６の通路を上の段５８,６０,６２と下の段５９,６１，６３に分け、図９の左側板の底板６７,６８,６
９や図８右側板の底板６４,６５,６６が別々の通路を通るようにすると側板の幅を最小側板の幅の倍以上に大きく拡大することができる。いろいろな大きさの飲料水缶やペットボトルを自動販売機の飲料水缶やペットボトルの投入口に投入することができる。
【産業上の利用可能性】
【００２２】
飲料水缶やペットボトルを自動販売機の飲料水缶やペットボトルの投入口に投入する場合に、容易に、短時間で投入できる。そのため自動販売機のドアを開けておく時間が短いので、冷気が逃げる時間が少なく省ネルギーであり、また、交通の障害や缶購入者が待つ時間が少なく使用できるので自動販売機の不便を避けることができる。
【符号の説明】
【００２３】
１  自動販売機投入口乗せ掛け板  
２  自動販売機投入口引き掛け板
３  缶止伸縮前壁面板            
４  伸縮缶止板    
５  伸縮缶止板持ち上げレバー      
６  伸縮缶止板引きバネ板    
７  伸縮缶止板引きバネ    
８  伸縮缶止板引きバネ留ネジ  
９  右側板握り手
１０  左側板        
１１  右側板        
１２  上底板  
１３  左側板握り取っ手                
１４  支柱板拡大腕木調整板
１５  缶止伸縮前壁板右側腕木
１６  缶止伸縮前壁板中央腕木  
１７  缶止伸縮前壁板左側中央腕木
１８  缶止伸縮前壁板左側腕木  
１９  缶止伸縮前壁板右側腕木可動留ネジ    
２０  缶止伸縮前壁板右腕木連結留ネジ
２１  缶止伸縮前壁板中央腕木可動留ネジ    
２２  缶止伸縮前壁板左側腕木連結留ネジ
２３  缶止伸縮前壁板左側腕木可動留ネジ  
２４  缶止板可動右蝶番  
２５  缶止板可動左蝶番  
２６  缶止板持ち上げ棒通路
２７  缶止板持ち上げ棒  
２８  右伸縮前壁板
２９  左伸縮前壁板
３０  後方右側板握り取っ手  
３１  右側板握り取っ手  
３２  前右側板腕木可動留ネジ
３３  中右前側板腕木可動留ネジ
３４  後右前側板腕木可動留ネジ
３５  前左側板腕木可動留ネジ
３６  中左前側板木可動留ネジ
３７  後左前側板腕木可動留ネジ
３８  前右側板腕木
３９  中右側板腕木
４０  後右側板腕木
４１  前左側板腕木
４２  中左側板腕木
４３  後左側板腕木
４４  前両側板腕木合同可動留ネジ
４５  中両側板腕木合同可動留ネジ
４６  後両側板腕木合同可動留ネジ
４７  腕木中央支柱板前可動留ネジ溝穴
４８  腕木中央支柱板後可動留ネジ溝穴
４９  腕木中央支柱板前可動留ネジ
５０  腕木中央支柱板後可動留ネジ
５１  側板腕木中央支柱板
５２  ボールチェーン
５３  腕木中央支柱板ボールチェーン固定溝
５４  中底板
５５  下底板
５６  上底板中底板支柱板
５７  中底板下底板支柱板
５８  後上段側板底板通路
５９  後下段側板底板通路
６０  中上段側板底板通路
６１  中下段側板底板通路
６２  前上段側板底板通路
６３  前下段側板底板通路
６４  右側板付前底板
６５  右側板付中底板
６６  右側板付後底板
６７  左側板付前底板
６８  左側板付中底板
６９  左側板付後底板
７０  右仕切板止
７１  右仕切板
７２  右側底板
７３  右仕切板蝶番
７４  左仕切板止
７５  左仕切板
７６  左仕切板蝶番
７７  左側底板
７８  被覆底板左側板前腕木
７９  被覆底板左側板前腕木可動留ネジ
８０  被覆底板左側板後腕木可動留ネジ
８１  被覆底板左側板後腕木
８２  被覆底板
８３  被覆底板両側板後腕木合同可動留ネジ
８４  被覆底板右側板後腕木
８５  被覆底板右側板後腕木可動留ネジ
８６  被覆底板右側板後腕木
８７  前被覆底板右側板前腕木可動留ネジ
８８  前被覆底板
８９  被覆底板両側板前腕木合同可動留ネジ
９０  被覆上底板
９１  被覆中底板
９２  被覆側板上段底板通路
９３  被覆側板下段底板通路
９４  被覆下底板
９５  被覆底板前底板支柱板
９６  被覆底板中底板支柱板
９７  被覆底板後底板支柱板
９８  被覆右側板付前底板
９９  被覆右側板付後底板
１００  被覆右側板
１０１  被覆左側板付前底板
１０２  被覆左側板付後底板
１０３  被覆左側板
【図１】
2010266917.tif 000003
【図２】
2010266917.tif 000004
【図３】
2010266917.tif 000005
【図４】
2010266917.tif 000006
【図５】
2010266917.tif 000007
【図６】
2010266917.tif 000008
【図７】
2010266917.tif 000009
【図８】
2010266917.tif 000010
【図９】
2010266917.tif 000011
【図１０】
2010266917.tif 000012
【図１１】
2010266917.tif 000013
【図１２】
2010266917.tif 000014
【図１３】
2010266917.tif 000015
【図１４】
2010266917.tif 000016
【図１５】
2010266917.tif 000017